(57)【要約】【課題】自然な映像を具現して映像の画質を向上できるデータ変換装置及び変換方法と、これを用いた映像表示装置の駆動装置及び駆動方法を提供する。  また、９ビット以上のデータ集積回路の階調使用効率を向上できるデータ変換装置及び変換方法と、これを用いた映像表示装置の駆動装置及び駆動方法を提供する。【解決手段】１ピクセルの階調がＭビット（Ｍは、２以上の整数）として入力されるＭビットデータに基づいて、隣接する各ピクセル間が同一の階調を有することを検出信号として出力する階調検出部２００と、Ｍビットデータから階調拡張したＮビットデータ（Ｎは、Ｍより大きい整数）を生成する際に、階調検出部２００からの検出信号に基づいて、同一の階調を有するピクセルの階調を補正する階調補正部２１０とを含んで構成される。【選択図】図３
2007279732.tif 000002
【特許請求の範囲】
【請求項１】
１ピクセルの階調がＭビット（Ｍは、２以上の整数）として入力されるＭビットデータに基づいて、隣接する各ピクセル間が同一の階調を有することを検出信号として出力する階調検出部と、
前記Ｍビットデータから階調拡張したＮビットデータ（Ｎは、Ｍより大きい整数）を生成する際に、前記階調検出部からの検出信号に基づいて、前記同一の階調を有するピクセルの階調を補正する階調補正部と
を含んで構成されることを特徴とするデータ変換装置。
【請求項２】
前記階調検出部は、
前記Ｍビットデータを水平ライン単位で保存するラインメモリ部と、
前記ラインメモリ部から供給される少なくとも３水平ラインのＭビットデータを分析し、階調検出信号及び階調変化信号を含む前記検出信号を生成する階調分析部と
を含んで構成されることを特徴とする請求項１に記載のデータ変換装置。
【請求項３】
前記階調分析部は、ｉ×ｊ（ｉは、３以上の整数で、ｊは、ｉ以上の整数）ブロック単位の前記Ｍビットデータから隣接した各ピクセル間の階調を比較して同一の階調を有する階調重畳領域を検出し、前記階調重畳領域の位置に対応する前記階調検出信号と、隣接した各ピクセルの階調変化方向に対応する前記階調変化信号を生成することを特徴とする請求項２に記載のデータ変換装置。
【請求項４】
前記階調変化方向は、水平方向、垂直方向及び対角線方向のうち少なくとも一つの方向に対応することを特徴とする請求項３に記載のデータ変換装置。
【請求項５】
前記階調補正部は、前記ラインメモリ部から供給される前記ｉ×ｊブロック単位のＭビットデータをＮビットデータに変換し、前記階調検出信号に対応する位置の階調重畳領域の各階調を前記階調変化信号に基づいて補正し、階調拡張したＮビットデータを生成することを特徴とする請求項３に記載のデータ変換装置。
【請求項６】
前記階調重畳領域の各ピクセルのうち一部のピクセルは、前記階調重畳領域の各ピクセルに隣接したピクセルの階調と前記階調重畳領域の各ピクセルの階調との間の階調を有するように増加補正または減少補正されることを特徴とする請求項５に記載のデータ変換装置。
【請求項７】
映像を表示する表示パネルと、
請求項１ないし６のうちいずれか１項に記載の前記データ変換装置と、
前記表示パネルにスキャンパルスを供給するゲートドライバーと、
前記表示パネルにアナログビデオ信号を供給する前記Ｎビットデータドライバーと、
前記データ変換装置からの前記Ｎビットデータを前記Ｎビットデータドライバーに供給するとともに、前記ゲートドライバー及び前記Ｎビットデータドライバーをそれぞれ制御するタイミングコントローラと
を含んで構成されることを特徴とする映像表示装置の駆動装置。
【請求項８】
１ピクセルの階調がＭビット（Ｍは、２以上の整数）として入力されるＭビットデータに基づいて、隣接する各ピクセル間における同一の階調を検出する段階と、
検出された前記同一の階調を有するピクセルの階調を補正し、前記Ｍビットデータから階調拡張したＮビットデータ（Ｎは、Ｍより大きい整数）を生成する段階と
を含むことを特徴とするデータ変換方法。
【請求項９】
前記同一の階調を検出する段階は、
前記Ｍビットデータを水平ライン単位で保存する段階と、
前記保存された少なくとも３水平ラインのＭビットデータを分析し、階調検出信号と階調変化信号を含む前記検出信号を生成する段階と
を含むことを特徴とする請求項８に記載のデータ変換方法。
【請求項１０】
前記検出信号を生成する段階は、ｉ×ｊ（ｉは、３以上の整数で、ｊは、ｉ以上の整数）ブロック単位の前記Ｍビットデータから隣接した各ピクセル間の階調を比較して同一の階調を有する階調重畳領域を検出し、前記階調重畳領域の位置に対応する前記階調検出信号と、隣接した各ピクセルの階調変化方向に対応する前記階調変化信号を生成することを特徴とする請求項９に記載のデータ変換方法。
【請求項１１】
前記階調変化方向は、水平方向、垂直方向及び対角線方向のうち少なくとも一つの方向に対応することを特徴とする請求項１０に記載のデータ変換方法。
【請求項１２】
前記Ｎビットデータを生成する段階は、前記ｉ×ｊブロック単位のＭビットデータをＮビットデータに変換し、前記階調検出信号に対応する位置の階調重畳領域の各階調を前記階調変化信号に基づいて補正し、階調拡張したＮビットデータを生成することを特徴とする請求項１０に記載のデータ変換方法。
【請求項１３】
前記階調重畳領域の各ピクセルのうち一部のピクセルは、前記階調重畳領域の各ピクセルに隣接したピクセルの階調と前記階調重畳領域の各ピクセルの階調との間の階調を有するように増加補正または減少補正されることを特徴とする請求項１２に記載のデータ変換方法。
【請求項１４】
表示パネルに映像を表示する方法において、
請求項８ないし１３のうちいずれか１項に記載の前記データ変換方法によって前記Ｎビットデータを生成する段階と、
前記表示パネルにスキャンパルスを供給する段階と、
前記スキャンパルスに同期するように、前記Ｎビットデータをアナログビデオ信号に変換して前記表示パネルに供給する段階と
を含んで構成されることを特徴とする映像表示装置の駆動方法。
【発明の詳細な説明】
【技術分野】
【０００１】
本発明は、データ変換装置及び変換方法に関するもので、特に、自然な映像を具現するとともに、９ビット以上のデータ集積回路の階調使用効率を向上できるデータ変換装置及びデータ変換方法と、これを用いた映像表示装置の駆動装置及び映像表示装置の駆動方法に関するものである。
【背景技術】
【０００２】
最近、陰極線管の短所である重さ及び体積を減少させるために、各種の平板表示装置が台頭している。このような平板表示装置としては、液晶表示装置、プラズマ表示パネル及び発光表示装置などがある。
【０００３】
液晶表示装置は、２枚の基板の間に形成された液晶層に電圧を印加し、この電圧の強さを調節して液晶層を通過する光の透過率を調節することで、所望の画像を表示する。プラズマ表示パネルは、気体放電によって発生するプラズマを用いて、文字や映像を表示する。そして、発光表示装置は、特定の有機物または高分子の発光を用いて、文字または映像を表示する。
【０００４】
一方、平板表示装置を駆動するためのホストシステム（パーソナルコンピュータ、ノートブックコンピュータ、ＴＶ）は、ほとんど８ビットデータを用いている。すなわち、一般的に、自然の映像を信号化する媒体（デジタルカメラ、カムコーダ、スキャナーなど）は、所定の分解能に準じて映像をデータ化する。例えば、８ビット分解能を有するデジタルカメラを用いて、夕焼け、夕陽、照明に照らされた人の顔、花びら、木の葉、波、海及び川などのように、階調がスムーズに増加または減少する映像をデータ化する場合、図１Ａに示すように、Ａ階調からＢ階調にスムーズに増加する実際の映像は、図１Ｂに示すように、Ａ階調からＢ階調に不連続的に増加する映像データに変換される。
【０００５】
一方、映像の再現特性と人間の視感特性とを一致させるために、多様な信号処理技術を用いて各種の補正処理を行う。その結果、映像を８ビット入出力ガンマ特性カーブによってデータ化する場合、ガンマ特性カーブにおいて勾配が１より小さい領域で階調つぶれ現象が発生する。
【０００６】
例えば、図２Ａに示すように、入力データに対する８ビット出力データのガンマ特性カーブにおいて、勾配が１より小さい領域Ｃで、図２Ｂに示すように、入力階調５１と５２がそれぞれ出力階調４１．２と４１．４の地点にマッピングされる。しかしながら、整数のみで表現されるデジタル出力においては、近似した整数で出力が決定されるので、入力階調５０、５１及び５２は、同じ出力階調４１にマッピングされ、階調つぶれ現象が発生する。
【０００７】
したがって、上記のような階調つぶれ現象のために、表示装置に表示される映像の画質が低下するという問題点がある。
【発明の開示】
【発明が解決しようとする課題】
【０００８】
本発明は上記の課題を解決するためのもので、その目的は、自然な映像を具現して映像の画質を向上できるデータ変換装置及びデータ変換方法と、これを用いた映像表示装置の駆動装置及び映像表示装置の駆動方法を提供することにある。
【０００９】
また、本発明の他の目的は、９ビット以上のデータ集積回路の階調使用効率を向上できるデータ変換装置及びデータ変換方法と、これを用いた映像表示装置の駆動装置及び映像表示装置の駆動方法を提供することにある。
【課題を解決するための手段】
【００１０】
上記目的を達成するための本発明に係るデータ変換装置は、１ピクセルの階調がＭビット（Ｍは、２以上の整数）として入力されるＭビットデータに基づいて、隣接する各ピクセル間が同一の階調を有することを検出信号として出力する階調検出部と、前記Ｍビットデータから階調拡張したＮビットデータ（Ｎは、Ｍより大きい整数）を生成する際に、前記階調検出部からの検出信号に基づいて、前記同一の階調を有するピクセルの階調を補正する階調補正部とを含んで構成される。
【００１１】
前記階調検出部は、前記Ｍビットデータを水平ライン単位で保存するラインメモリ部と、前記ラインメモリ部から供給される少なくとも３水平ラインのＭビットデータを分析して階調検出信号及び階調変化信号を含む前記検出信号を生成する階調分析部とを含んで構成される。
【００１２】
前記階調分析部は、ｉ×ｊ（ｉは、３以上の整数で、ｊは、ｉ以上の整数）ブロック単位の前記Ｍビットデータから隣接した各ピクセル間の階調を比較して同一の階調を有する階調重畳領域を検出し、前記階調重畳領域の位置に対応する前記階調検出信号と、隣接した各ピクセルの階調変化方向に対応する前記階調変化信号を生成する。
【００１３】
前記階調変化方向は、水平方向、垂直方向及び対角線方向のうち少なくとも一つの方向に対応する。
【００１４】
前記階調補正部は、前記ラインメモリ部から供給される前記ｉ×ｊブロック単位のＭビットデータをＮビットに変換し、前記階調検出信号に対応する位置の階調重畳領域の各を前記階調変化信号に基づいて補正し、階調拡張したＮビットデータを生成する。
【００１５】
前記階調重畳領域の各ピクセルのうち一部のピクセルは、前記階調重畳領域のピクセルに隣接したピクセルの階調と前記階調重畳領域の各ピクセルの階調との間の階調を有するように増加補正または減少補正される。
【００１６】
本発明の実施例に係る映像表示装置の駆動装置は、映像を表示する表示パネルと、入力されるＭビットデータを階調拡張したＮビットデータに変換するデータ変化装置と、前記表示パネルにスキャンパルスを供給するゲートドライバーと、前記表示パネルにアナログビデオ信号を供給する前記Ｎビットデータドライバーと、前記データ変換装置からの前記Ｎビットデータを前記Ｎビットデータドライバーに供給するとともに、前記ゲートドライバー及びＮビットデータドライバーをそれぞれ制御するタイミングコントローラとを含み、前記データ変換装置は、前記Ｍビットデータに基づいて、隣接する各ピクセル間が同一の階調を有することをする検出信号として出力する階調検出部と、前記Ｍビットデータから階調拡張したＮビットデータを生成する際に、前記階調検出部からの検出信号に基づいて、前記同一の階調を有するピクセルの階調を補正する。
【００１７】
前記階調検出部は、前記Ｍビットデータを水平ライン単位で保存するラインメモリ部と、前記ラインメモリ部から供給される少なくとも３水平ラインのＭビットデータを分析し、階調検出信号及び階調変化信号を含む前記検出信号を生成する階調分析部とを含んで構成される。
【００１８】
本発明の実施例に係るデータ変換方法は、１ピクセルの階調がＭビット（Ｍは、２以上の整数）として入力されるＭビットデータに基づいて、隣接する各ピクセル間における同一の階調を検出する段階と、検出された前記同一の階調を有するピクセルの階調を補正し、前記Ｍビットデータから階調拡張したＮビットデータ（Ｎは、Ｍより大きい整数）を生成する段階とを含む。
【００１９】
前記同一の階調を検出する段階は、前記Ｍビットデータを水平ライン単位で保存する段階と、前記保存された少なくとも３水平ラインのＭビットデータを分析し、階調検出信号と階調変化信号を含む前記検出信号を生成する段階とを含む。
【００２０】
前記検出信号を生成する段階は、ｉ×ｊ（ｉは、３以上の整数で、ｊは、ｉ以上の整数）ブロック単位の前記Ｍビットデータから隣接した各ピクセル間の階調を比較して同一の階調を有する階調重畳領域を検出し、前記階調重畳領域の位置に対応する前記階調検出信号と、隣接した各ピクセルの階調変化方向に対応する前記階調変化信号を生成する。
【００２１】
前記階調変化方向は、水平方向、垂直方向及び対角線方向のうち少なくとも一つの方向に対応する。
【００２２】
前記Ｎビットデータを生成する段階は、前記ｉ×ｊブロック単位のＭビットデータを１０ビットデータに変換し、前記階調検出信号に対応する位置の階調重畳領域の階調を前記階調変化信号に基づいて補正し、階調拡張したＮビットデータを生成する。
【００２３】
前記階調重畳領域の各ピクセルのうち一部のピクセルは、前記階調重畳領域の各ピクセルに隣接したピクセルの階調と前記階調重畳領域の各ピクセルの階調との間の階調を有するように増加補正または減少補正される。
【００２４】
本発明の実施例に係る映像表示装置の駆動方法は、表示パネルに映像を表示する方法において、入力されるＭビットデータを階調拡張したＮビットデータに変換する段階と、前記表示パネルにスキャンパルスを供給する段階と、前記スキャンパルスに同期するように前記Ｎビットデータをアナログビデオ信号に変換して前記表示パネルに供給する段階と、を含んで構成され、前記Ｍビットデータを前記Ｎビットデータに変換する段階は、前記Ｍビットデータに基づいて、水平隣接する各ピクセル間における同一の階調を検出する段階と、検出された前記同一の階調を有するピクセルの階調を補正し、前記Ｍビットデータから階調拡張したＮビットデータ（Ｎは、Ｍより大きい整数）を生成する段階とを含んで構成される。
【００２５】
前記同一の階調を検出する段階は、前記Ｍビットデータを水平ライン単位で保存する段階と、前記保存された少なくとも３水平ラインのＭビットデータを分析し、階調検出信号と階調変化信号を含む前記検出信号を生成する段階とを含む。
【発明の効果】
【００２６】
本発明の実施例に係るデータ変換装置及びデータ変換方法と、これを用いた映像表示装置の駆動装置及び映像表示装置の駆動方法は、入力映像の階調から階調重畳部分を検出して階調重畳部分の階調を拡張することで、階調をスムーズに増加または減少させ、自然な映像を具現して映像の画質を向上させるとともに、９ビット以上のデータ集積回路の階調使用効率を向上させることができる。
【発明を実施するための最良の形態】
【００２７】
以下、本発明の好適な実施例について、添付の図面に基づいて詳細に説明する。
【００２８】
図３は、本発明の実施例に係るデータ変換装置を概略的に示したブロック図である。
【００２９】
図３に示すように、本発明の実施例に係るデータ変換装置１１０は、入力されるＭビット（以下、"８ビット"という）入力データＤａｔａから水平及び垂直に隣接した各ピクセル間の階調を検出し、階調検出信号ＧＡＳ及び階調変化信号ＧＶＳを生成する階調検出部２００と、階調検出信号ＧＡＳ及び階調変化信号ＧＶＳによって８ビット入力データＤａｔａの階調を補正してＮビット（ただし、Ｎは、９以上の整数で、以下、"１０ビット"という）補正データＤａｔａ’を生成する階調補正部２１０とを含んで構成される。
【００３０】
階調検出部２００は、８ビット入力データＤａｔａを水平ライン単位で保存するラインメモリ部２０２と、ラインメモリ部２０２から供給される８ビット保存データＬＤａｔａを分析して階調検出信号ＧＡＳ及び階調変化信号ＧＶＳを生成する階調分析部２０４とを含んで構成される。
【００３１】
ラインメモリ部２０２は、８ビット入力データＤａｔａを水平ライン単位で保存するための少なくとも３個のラインメモリからなる。
【００３２】
階調分析部２０４は、ラインメモリ部２０２から供給される少なくとも３水平ラインの８ビット保存データＬＤａｔａから水平及び垂直に隣接した各ピクセル間の階調を比較して同一の階調を有する階調重畳領域を検出し、階調重畳領域の位置に対応する階調検出信号ＧＡＳと、隣接した各ピクセルの階調変化に対応する階調変化信号ＧＶＳを生成する。このとき、階調重畳領域は、データによって一つまたは複数になり得る。
【００３３】
具体的に、階調分析部２０４は、図４に示すように、保存データＬＤａｔａからｉ×ｊ（ただし、ｉ及びｊは、同一であるか互いに異なる３以上の正の整数、ｉは、水平方向、ｊは、垂直方向）ブロック単位でＸ軸方向Ｘ、Ｙ軸方向Ｙ及び対角線方向Ｄ１、Ｄ２の各ピクセルの階調を比較し、同一の階調を有する階調重畳領域を検出する。すなわち、階調分析部２０４は、左右方向Ｘの各ピクセルにおいて同一の階調を有する各ピクセルの位置と、上下方向Ｙの各ピクセルにおいて同一の階調を有する各ピクセルの位置、及び対角線方向Ｄ１、Ｄ２の各ピクセルにおいて同一の階調を有する各ピクセルの位置を検出する。
【００３４】
上記のような階調分析部２０４は、各階調重畳領域の位置に対応する階調検出信号ＧＡＳを階調補正部２１０に供給する。このとき、階調検出信号ＧＡＳは、階調重畳領域の数によって一つまたは複数になり得る。
【００３５】
また、階調分析部２０４は、各方向Ｘ、Ｙ、Ｄ１、Ｄ２に対する階調変化に対応する階調変化信号ＧＶＳを生成する。このとき、階調変化信号ＧＶＳは、ｉ×ｊブロック単位の保存データに対応する映像の階調が、左側⇔右側方向、上側⇔下側方向、左上側⇔右下側方向及び左下側⇔右上側方向のうち少なくとも一つの方向になる。
【００３６】
階調補正部２１０は、ラインメモリ部２０２から供給されるｉ×ｊブロック単位の８ビット保存データＬＤａｔａを１０ビットデータに変換し、１０ビットデータにおいて階調検出信号ＧＡＳに対応する位置の階調重畳領域の各階調を階調変化信号ＧＶＳによって補正し、１０ビット補正データＤａｔａ’を出力する。
【００３７】
例えば、図５Ａに示すように、ｉ水平ラインのｊピクセル、ｊ+１ピクセル及びｊ+２ピクセルのうち、ｊ+１ピクセル及びｊ+２ピクセルが同一の８ビット階調を有し、ｉ水平ラインの階調が左側から右側方向に変化する場合、階調補正部２１０は、各ピクセルの８ビット階調を１０ビット階調に補正するとともに、左側から右側方向に対応する階調変化信号ＧＶＳによって、ｊ+１ピクセルの１０ビット階調をｊピクセルの１０ビット階調とｊ+２ピクセルの１０ビット階調との間の１０ビット階調に補正する。
【００３８】
また、図５Ｂに示すように、ｊ垂直ラインのｉピクセル、ｉ+１ピクセル及びｉ+２ピクセルのうち、ｉ+１ピクセル及びｉ+２ピクセルが同一の階調を有し、ｊ垂直ラインの階調が上側から下側方向に変化する場合、階調補正部２１０は、各ピクセルの８ビット階調を１０ビット階調に補正するとともに、上側から下側方向に対応する階調変化信号ＧＶＳによって、ｉ+１ピクセルの１０ビット階調値をｉピクセルの１０ビット階調とｉ+２ピクセルの１０ビット階調との間の１０ビット階調に補正する。
【００３９】
また、図５Ｃに示すように、ｉ×ｊブロックの９個の各ピクセルのうち、（ｉ+１、ｊ+１）及び（ｉ+２、ｊ+２）ピクセルの階調が同一で、ｉ×ｊブロックの階調が左上側から右下側方向の対角線方向に変化する場合、階調補正部２１０は、各ピクセルの８ビット階調を１０ビット階調に補正するとともに、左上側から右下側方向の対角線方向の階調変化信号ＧＶＳによって、（ｉ+１、ｊ+１）の１０ビット階調を（ｉ、ｊ）ピクセルの１０ビット階調と（ｉ+２、ｊ+２）ピクセルの１０ビット階調と間の１０ビット階調に補正する。
【００４０】
結果的に、階調補正部２１０は、図６Ａに示すように、８ビットＡ階調と８ビットＢ階調との間で、階調検出信号ＧＡＳに対応する位置の階調重畳領域の各Ｇａ、Ｇｂ、Ｇｃ及びＧｄ８ビット階調を、図６Ｂに示すように、階調変化信号ＧＶＳによってＧａ’、Ｇａ、Ｇｂ’、Ｇｂ、Ｇｃ’、Ｇｃ、Ｇｄ’及びＧｄ１０ビット階調に補正する。これによって、Ａ階調とＢ階調との間の４個の８ビット階調は、補正によって８個の１０ビット階調に増加し、連続性を有してスムーズに増加するようになる。
【００４１】
上記のような本発明の実施例に係るデータ変換装置及びデータ変換方法は、８ビット入力データＤａｔａから水平及び垂直に隣接した各ピクセル間の階調を検出して階調検出信号ＧＡＳ及び階調変化信号ＧＶＳを生成し、生成された階調検出信号ＧＡＳ及び階調変化信号ＧＶＳによって８ビット入力データＤａｔａの階調を１０ビットデータＤａｔａ’に補正することで、一層自然な映像を具現することができる。
【００４２】
図７は、本発明の実施例に係る液晶表示装置の駆動装置を概略的に示した図である。
【００４３】
図７に示すように、本発明の実施例に係る液晶表示装置の駆動装置は、複数のゲートラインＧＬ１〜ＧＬｎと、複数のデータラインＤＬ１〜ＤＬｍによって定義される領域ごとに液晶セルが形成された液晶パネル１０２と、Ｍビット入力データＤａｔａから水平及び垂直に隣接した各ピクセルの階調を検出して階調検出信号及び階調変化信号を生成し、生成された階調検出信号及び階調変化信号によって入力データＤａｔａの階調を補正してＮビット補正データＤａｔａ’（ただし、Ｎは、Ｍより大きい正の整数）を生成するデータ変換装置１１０と、各ゲートラインＧＬ１〜ＧＬｎにスキャンパルスを順次供給するゲートドライバー１０４と、各データラインＤＬ１〜ＤＬｍにアナログビデオ信号を供給するＮビットデータドライバー１０６と、データ変換装置１１０からのＮビット補正データＤａｔａ’をＮビットデータドライバー１０６に供給するとともに、ゲートドライバー１０４及びＮビットデータドライバー１０６をそれぞれ制御するタイミングコントローラ１０８とを含んで構成される。
【００４４】
液晶パネル１０２は、ｎ個のゲートラインＧＬ１〜ＧＬｎとｍ個のデータラインＤＬ１〜ＤＬｍによって定義される領域に形成された薄膜トランジスタＴＦＴと、薄膜トランジスタＴＦＴに接続される液晶セルとを備えている。薄膜トランジスタＴＦＴは、ゲートラインＧＬ１〜ＧＬｎからのスキャンパルスに応答して、データラインＤＬ１〜ＤＬｍからのアナログビデオ信号を液晶セルに供給する。液晶セルは、液晶を挟んで対面する共通電極と、薄膜トランジスタＴＦＴに接続された画素電極とからなるので、等価的に液晶キャパシタＣｌｃで示される。また、液晶セルは、液晶キャパシタＣｌｃに充電されたアナログビデオ信号を、次のアナログビデオ信号が充電されるまで維持させるためのストレージキャパシタＣｓｔを含む。
【００４５】
データ変換装置１１０は、図３に示した本発明の実施例に係るデータ変換装置と同一の構成を有し、それに対する詳細な説明は、図３〜図６Ｂに基づいて説明した通りである。
【００４６】
タイミングコントローラ１０８は、データ変換装置１１０からのＮビット補正データＤａｔａ’を液晶パネル１０２の駆動に合わせて整列させ、Ｎビットデータドライバー１０６に供給する。また、タイミングコントローラ１０８は、外部から入力されるドットクロックＤＣＬＫ、データイネーブル信号ＤＥ、水平及び垂直同期信号Ｈｓｙｎｃ、Ｖｓｙｎｃを用いてデータ制御信号ＤＣＳとゲート制御信号ＧＣＳを生成し、Ｎビットデータドライバー１０６とゲートドライバー１０４の駆動タイミングをそれぞれ制御する。
【００４７】
一方、データ変換装置１１０は、タイミングコントローラ１０８に内蔵され、タイミングコントローラ１０８及びデータ変換装置１１０は、一つの集積回路に集積される。
【００４８】
ゲートドライバー１０４は、タイミングコントローラ１０８からのゲート制御信号ＧＣＳによって、スキャンパルス、すなわち、ゲートハイパルスを発生して、ｎ個のゲートラインＧＬ１〜ＧＬｎに順次供給する。
【００４９】
Ｎビットデータドライバー１０６は、タイミングコントローラ１０８から供給されるデータ制御信号ＤＣＳによって、タイミングコントローラ１０８から供給されるデータ信号ＲＧＢをアナログビデオ信号に変換し、各ゲートラインＧＬ１〜ＧＬｎにスキャンパルスが供給される１水平周期ごとに、１水平ライン分のアナログビデオ信号を各データラインＤＬ１〜ＤＬｍに供給する。
【００５０】
上記のような本発明の実施例に係る液晶表示装置の駆動装置及び液晶表示装置の駆動方法は、８ビット入力データＤａｔａから水平及び垂直に隣接した各ピクセル間の階調を検出して階調検出信号ＧＡＳ及び階調変化信号ＧＶＳを生成し、生成された階調検出信号ＧＡＳ及び階調変化信号ＧＶＳによって８ビット入力データＤａｔａの階調を１０ビットデータＤａｔａ’に補正するデータ変換装置１１０を含むことで、一層自然な映像を具現することができ、９ビット以上のデータ集積回路の階調使用効率を向上させることができる。
【００５１】
一方、上述した本発明の実施例に係るデータ変換装置及びデータ変換方法は、上述した液晶表示装置に限定されることなく、液晶表示装置、プラズマディスプレイパネル及び発光表示装置を含む映像表示装置にも適用される。
【図面の簡単な説明】
【００５２】
【図１Ａ】Ａ階調からＢ階調にスムーズに増加する実際の映像を説明するための図である。
【図１Ｂ】図１Ａに示した実際の映像をデータ化した場合を示したグラフである。
【図２Ａ】入力データに対する８ビット出力データのガンマ特性カーブを示したグラフである。
【図２Ｂ】図２Ａに示したＣ部分を拡大して示したグラフである。
【図３】本発明の実施例に係るデータ変換装置を概略的に示したブロック図である。
【図４】図３に示した隣接した各ピクセルの階調重畳領域に対する階調変化の方向を説明するための図である。
【図５Ａ】図３に示した階調補正部によるＸ軸方向の階調補正の例を示した図である。
【図５Ｂ】図３に示した階調補正部によるＹ軸方向の階調補正の例を示した図である。
【図５Ｃ】図３に示した階調補正部による対角線方向の階調補正の例を示した図である。
【図６Ａ】図３に示したデータ変換装置に入力される入力データを説明するための図である。
【図６Ｂ】図３に示したデータ変換装置に入力される出力データを説明するための図である。
【図７】本発明の実施例に係る液晶表示装置の駆動装置を概略的に示した図である。
【符号の説明】
【００５３】
１０２  液晶パネル、１０４  ゲートドライバー、１０６  データドライバー、１０８  タイミングコントローラ、１１０  データ変換装置、２００  階調検出部、２０２  ラインメモリ部、２０４  階調分析部、２１０  階調補正部。
【図１Ａ】
2007279732.tif 000003
【図１Ｂ】
2007279732.tif 000004
【図２Ａ】
2007279732.tif 000005
【図２Ｂ】
2007279732.tif 000006
【図３】
2007279732.tif 000007
【図４】
2007279732.tif 000008
【図５Ａ】
2007279732.tif 000009
【図５Ｂ】
2007279732.tif 000010
【図５Ｃ】
2007279732.tif 000011
【図６Ａ】
2007279732.tif 000012
【図６Ｂ】
2007279732.tif 000013
【図７】
2007279732.tif 000014